(57)【要約】      （修正有）【課題】部品の点数が少なくて済み、組み立てに便利でコストも安くできる防湿灯座構造を提供する。【解決手段】非導電性の本体の中に容槽１４があり、容槽の中に直径がより小さい螺旋スプライン１１がある。螺旋スプラインは容槽より高さが低いので、その間のギャップが容槽の内壁に嵌合する弾性バンド２に埋められる。電灯９３の金屬ねじコネクタが螺旋スプラインに嵌められると、弾性バンドが電灯との間にも、また基部との間にも緊密に張り合わせられる。そのとき、電灯と基部との間において最高の防湿効果が発揮される。【選択図】図４
0003106175.tif 000002
【実用新案登録請求の範囲】
【請求項１】
非導電性の本体の中に容槽を備え、前記容槽の中に直径がより小さい螺旋スプラインが設置され、その螺旋スプラインは内壁に電灯の金属ねじ部が嵌められる母螺紋、底にダイオード触圧片が設けられており、
螺旋スプラインは、高さ寸法が容槽より低く設定され、その間のギャップが容槽の内壁に嵌合する弾性バンドに埋められており、
電灯の金属ねじコネクタが螺旋スプラインに嵌められると、弾性バンドが電灯との間にも、また基部との間にも緊密に張り合わせられることを特徴とする防湿灯座構造。
【請求項２】
容槽と螺旋スプラインの間に複数の放射状のプレートが設けられ、そのプレートが弾性バンドの滑り止めとして使われることを特徴とする請求項１記載の防湿灯座構造。
【請求項３】
基部が灯盤に下接して、旋轉コネクタと電源線に接続することを特徴とする請求項１記載の防湿灯座構造。
【請求項４】
灯盤に防水用のＯ形環が設けられ、前記灯盤を装飾物に入れた後、湿気が装飾物の嵌込口へ入るのを防ぐことを特徴とする請求項３記載の防湿灯座構造。
【考案の詳細な説明】
【技術分野】
【０００１】
本考案は、電灯が灯座に嵌められたとき、その間のギャップに防湿、防水効果を持たせる防湿灯座構造に関するものである。
【背景技術】
【０００２】
図８は従来から知られている灯座９を示す。この灯座９において、電灯９２の金属ねじコネクタ９２１が導電槽９１に嵌められると、灯座９と金属ねじコネクタ９２１との間に隙間ができる。この場合、雨や雪の日に外に使われると、水の浸入や湿気の原因で電気漏れ等の事故が発生しやすい。また、電灯９２が灯座９に嵌められていないとき、長い時間がたつと、導電槽９１の中の金属部品が気化したり、錆ができてしまう。
【０００３】
先行技術を解決するための技術としては、台湾特許出願２００１−００７３３７（台湾特許登録第３０８５９２９号）に開示されたものがある。本考案はプラスチック防水のスリーブで電灯と灯座との隙間を防ぐ。その防水のスリーブは高熱に耐えられもので、灯座の金属螺旋に下接し、ガラス電灯の底辺に上接する。これで、灯座に湿気が侵入することを防止し、灯座の金属気化や錆び等の心配がない。
【特許文献１】台湾特許登録第３０８５９２９号
【考案の開示】
【考案が解決しようとする課題】
【０００４】
上記従来の技術では、プラスチック防水のスリーブの下半部を灯座の金属ねじ壁の外側に嵌め、上半部が電灯に対して防水防湿の効果を持つ束緊作用（伸縮作用）を果たす。しかしながら、プラスチック防水のスリーブの上半部が外に露出されて、温度、紫外線、空気中の酸鹸物質の原因で、老化や変質等の物理変化が生じやすい。長い間が立つと、防水効果の効かない恐れがある。また、電灯と言えば、伝統的なタングステン電灯、冷光装置の省エネルギー電灯，ＬＥＤ型の装飾電灯９３（図９を参照）が挙げられる。その中、装飾電灯９３は導電金属コネクタ９３１とＬＥＤ発光板９３２のほかに、電子回路９３４を収納する容槽プラスチック殼９３３から成っている。このような装飾電灯９３には前記従来のタイプの防水のスリーブを適用することができない。それは、装飾電灯９３の下の容槽プラスチック殼９３３が、防水のスリーブより直径が大きいからである。省エネルギー電灯でも、同じような状況が見られる。したがって、装飾電灯９３や省エネルギー電灯に合わせる防湿灯座を考案する必要がある。
【０００５】
なお、上記従来の防湿灯座にあっては、部品の数が多く、組み立てにも不便で、生産コストも高くなる。
【０００６】
本考案は、上記従来の不具合に鑑みてなされたもので、その目的は、部品の点数が少なくて済み、組み立てに便利でコストも安くできる防湿灯座構造を提供することである。
【課題を解決するための手段】
【０００７】
上述の問題を解決するために、請求項１に記載された考案に係る防湿灯座構造は、非導電性の本体の中に容槽を備え、その中に、容槽の直径より小さい螺旋スプラインが設けられている。螺旋スプラインは、内壁に電灯の金属ねじ部が嵌められる母螺紋、底にダイオード触圧片がある。本考案の防湿灯座構造の特徴は次のようになる。螺旋スプラインは容槽より低いので、その間のギャップが容槽の内壁に嵌合する弾性バンドに埋められる。電灯の金属ねじコネクタが螺旋スプラインに嵌められると、弾性バンドが電灯との間にも、また基部との間にも緊密に張り合わせられる。
【０００８】
また、請求項２に記載された本考案に係る防湿灯座構造は、請求項１の防湿灯座構造において、容槽と螺旋スプラインとの間に幾つか放射状のプレートが設けられ、そのプレートが弾性バンドの滑り止めとして使われる。
【０００９】
また、請求項３に記載された本考案に係る防湿灯座構造は、請求項１の防湿灯座構造において、基部が灯盤に下接して、旋轉コネクタと電源線に接続することを特徴とするものである。
【考案の効果】
【００１０】
機能的には、灯座容槽と螺旋スプラインとのギャップにある弾性バンドは、電灯の金属ねじコネクタが灯座の螺旋スプラインに嵌めて、電灯の嵌まり具合により、伸縮性が調整される。それは電灯の具合に合わせると同時に、灯座にも合わせることができる。これで、電灯と基部の間に最高の防湿効果が生じる。また、基部の灯盤を中空装飾物の嵌込口に嵌め、灯盤のＯ形環を中空装飾物の嵌込溝に入れると、防湿の効果がある。
【００１１】
本発明によれば、灯座内部が湿気が浸入することにより生じる錆の問題を防ぐことができる。仕組み簡単で、なおかつ生産容易の弾性バンドは、電灯と灯座との締まり具合により、灯座や電灯とのギャップのを解決し、灯座と電灯とを緊密に組み合わせることができる。それで、組合中にできたギャップ問題に頭が悩まされない。また、弾性バンドが外に露出されていないので、温度、光、酸性物質に侵される心配はなく、灯座の容槽の上にすばやく取り付けや交換できる。なお、灯盤と装飾物の間にあるＯ形環は、湿気が取込み口から中空装飾物に入ることを防止する。
【考案を実施するための最良の形態】
【００１２】
次に、本考案に係る防湿灯座構造の一実施の形態について図面を参照して説明する。
【００１３】
図１は本実施の形態の防湿灯座の立体分解図である。図面の灯座１０は非導電基部１と弾性バンド２からなる。図２は防湿灯座の組合後の立体構造を示す斜視図である。この防湿灯座の基部１は灯盤１６（図３を参照）に下接し、ナット１６１により締め付け固定される。基部１６に旋轉コネクタ１７の電源線１８があり、その旋轉コネクタ１７がナット１６１に接続する。
【００１４】
図１と図３をともに参照する。図３は本オリジナル防湿灯座の全カット図。図面の基部１に容槽１４があり、容槽１４の中に直径がより小さい螺旋スプライン１１がある。螺旋スプライン１１と容槽１４との間に幾つかの放射状プレート１５がある。また、螺旋スプライン１１は容槽１４より低いので、その間にギャップがある。なお、螺旋スプライン１１の内壁の母螺紋（スクリュー部：めねじ状になっている）が電灯９３の導電金属コネクタ９３１の外面に形成された公螺紋（スクリュー部：おねじ状になっている）に組み合わせる（図４を参照）。螺旋スプライン１１の下にダイオード触圧片１２、１３がある。このダイオード触圧片はそれぞれプラス電極とマイナス電極のワイヤに接続する。
【００１５】
弾性バンド２は軟性混合膠からできたリング。容槽１４の上にあり、上述のように、容槽１４の内壁にぴったりと貼り合わせる。少しでっぱっている上の導角は電灯と組み合わせに便利なところである。  ゴムリングの直径が螺旋スプライン１１のとほぼ同様。弾性バンド２の下に放射状プレート１５に支えられ、容槽１４の中に滑ったりしない。
【００１６】
図４は本オリジナル防湿灯座と電灯との組合図である。図示のように、裝飾電灯９３の金属ねじコネクタ９３１を螺旋スプライン１１の母螺紋に嵌めると、金属ねじコネクタ９３１と金属電極９３５がプラス電極とマイナス電極の触圧片１２、１３に当たる。そのとき、裝飾電灯９３がライトする。金属ねじコネクタ９３１と螺旋スプライン１１がしっかりとしめられると、電灯９３のプラスチック殼９３３が弾性バンド２と密着する。圧迫される膠圈２が周りにやや広がって、容槽１４の内壁への緊迫感が強まる。電灯９３と基部１の間に弾性バンド２に閉められて、効果的な防湿防水機能を果たす。アウトドアや湿気の多いところに適する。
【００１７】
図５のように、防湿灯座１０が装飾電灯９３ともに使われると、アウトドアに適する。図６のように射出成型の中空裝飾物２０に取り付けることができる。固定方法が図７に示される。灯盤１６を中空裝飾物２０の嵌込口２１に固定させるには、灯盤１６の防水Ｏ形環１９を嵌込溝に２２嵌めて、防水防湿の効果が発揮する。嵌込溝２２は嵌込口２１より直径が大きく、Ｏ形環１９は灯盤１６の上に貼り付けられるものである。
【００１８】
上述のように、灯座１０と電灯９３とは防湿効果を持つと同時に、中空装飾物２０とともに使用されても、防湿機能を果たすことができる。
【産業上の利用可能性】
【００１９】
本考案においては、灯座容槽と螺旋スプラインとのギャップにある弾性バンドは、電灯の金属ねじコネクタが灯座の螺旋スプラインに嵌めて、電灯の嵌まり具合により、伸縮性が調整される。これで、電灯と基部の間に最高の防湿効果が生じる。また、基部の灯盤を中空装飾物の嵌込口に嵌め、灯盤のＯ形環を中空装飾物の嵌込溝に入れることにより防湿の効果がある。
【図面の簡単な説明】
【００２０】
【図１】本考案の一実施の形態に係る防湿灯座の立体分解図
【図２】前記実施の形態に係る防湿灯座の立体組合図
【図３】前記実施の形態に係る防湿灯座の全カット図
【図４】前記実施の形態に係る防湿灯座と電灯との組合図
【図５】前記実施の形態に係る防湿灯座の使用実例図
【図６】前記実施の形態に係る防湿灯座の使用実例図
【図７】前記実施の形態において、図６に示された防湿灯座と中空裝飾物との組合後の部分断面図
【図８】従来から知られている灯座を示す斜視図
【図９】容槽プラスチック殼付きのＬＥＤ裝飾電灯図
【符号の説明】
【００２１】
１  基部
２  弾性バンド
９  旧式灯座
１０  防湿灯座
１１  螺旋スプライン
１２，１３  電極触圧片
１４  容槽
１５  プレート
１６  灯盤
１７  旋轉コネクタ
１８  電源線
１９  Ｏ形環
２０  中空装飾物
２１  嵌込口
２２  嵌込溝
９１  導電槽
９２  電灯
９３  裝飾電灯
１６１  ナット
９２１  金属ねじコネクタ
９３１  導電金属コネクタ
９３２  ＬＥＤ発光板
９３３  容槽プラスチック殼
９３４  電子回路
９３５  金属電極
【図１】
0003106175.tif 000003
【図２】
0003106175.tif 000004
【図３】
0003106175.tif 000005
【図４】
0003106175.tif 000006
【図５】
0003106175.tif 000007
【図６】
0003106175.tif 000008
【図７】
0003106175.tif 000009
【図８】
0003106175.tif 000010
【図９】
0003106175.tif 000011